(57)【要約】【課題】  情報を確実に保持して信頼できる情報を共用できると共に、構成を簡略化してコストダウンを図ることができる冷蔵庫と電気機器との情報共有システムを提供すること。【解決手段】  この情報共有システムは、冷蔵庫１０と、第１の電気機器２０ａと、第２の電気機器２０ｂとを備える。第１の電気機器２０ａおよび第２の電気機器２０ｂは、通信を介して、冷蔵庫１０に接続される。そして、冷蔵庫１０と第１の電気機器２０ａおよび第２の電気機器２０ｂとは、相互の時刻情報を、一致させる。このように、常時通電の冷蔵庫１０にて、時刻情報を、保持しておくことができて、機器１０，２０ａ，２０ｂ間で信頼できる時刻情報を共用できると共に、システムの構成を簡略化して、コストダウンを図ることができる。【選択図】  図１
2005275848.tif 000002
【特許請求の範囲】
【請求項１】
通信手段、時計手段および制御手段を有する冷蔵庫と、
通信手段、時計手段および制御手段を有する電気機器と
を備え、
上記冷蔵庫の上記通信手段と上記電気機器の上記通信手段とは、接続され、
上記冷蔵庫の上記制御手段と上記電気機器の上記制御手段とは、少なくとも上記冷蔵庫の上記時計手段の時刻情報と上記電気機器の上記時計手段の時刻情報とを、一致させることを特徴とする冷蔵庫と電気機器との情報共有システム。
【請求項２】
請求項１に記載の冷蔵庫と電気機器との情報共有システムにおいて、
上記冷蔵庫の上記制御手段は、所定の間隔で、上記冷蔵庫の上記時計手段の上記時刻情報を上記電気機器に上記冷蔵庫の上記通信手段を介して送信し、
上記電気機器の上記制御手段は、上記冷蔵庫から受信した上記時刻情報に基づいて、上記電気機器の上記時計手段の上記時刻情報を変更することを特徴とする冷蔵庫と電気機器との情報共有システム。
【請求項３】
請求項１に記載の冷蔵庫と電気機器との情報共有システムにおいて、
上記冷蔵庫の上記制御手段は、上記電気機器から情報送信の要求信号を受信した場合、上記冷蔵庫の上記時計手段の上記時刻情報を上記電気機器に上記冷蔵庫の上記通信手段を介して送信し、
上記電気機器の上記制御手段は、上記冷蔵庫に情報送信の要求信号を上記電気機器の上記通信手段を介して送信した場合、上記冷蔵庫から上記時刻情報を受信して、上記時刻情報に基づいて上記電気機器の上記時刻情報を変更することを特徴とする冷蔵庫と電気機器との情報共有システム。
【請求項４】
請求項１に記載の冷蔵庫と電気機器との情報共有システムにおいて、
上記冷蔵庫の上記制御手段は、上記電気機器から情報送信の要求信号を受信した場合、上記冷蔵庫の上記時計手段の上記時刻情報を上記電気機器に上記冷蔵庫の上記通信手段を介して送信し、
上記電気機器の上記制御手段は、無通電状態から通電状態に復帰するときに、上記冷蔵庫に情報送信の要求信号を上記電気機器の上記通信手段を介して送信し、上記冷蔵庫から上記時刻情報を受信して、上記時刻情報に基づいて上記電気機器の上記時刻情報を設定することを特徴とする冷蔵庫と電気機器との情報共有システム。
【請求項５】
請求項１に記載の冷蔵庫と電気機器との情報共有システムにおいて、
上記冷蔵庫および上記電気機器は、さらに、記憶手段を有し、
上記冷蔵庫の上記制御手段は、上記電気機器の上記記憶手段から記憶情報を受信した場合、この記憶情報を上記冷蔵庫の上記記憶手段に記憶させる一方、上記電気機器から情報送信の要求信号を受信した場合、上記冷蔵庫の上記時計手段の上記時刻情報と上記電気機器から受信した上記記憶情報とを上記電気機器に上記冷蔵庫の上記通信手段を介して送信し、
上記電気機器の上記制御手段は、通電状態で、上記電気機器の上記記憶手段の記憶情報を更新する毎に、この記憶情報を上記冷蔵庫に上記電気機器の上記通信手段を介して送信する一方、無通電状態から通電状態に復帰するときに、上記冷蔵庫に情報送信の要求信号を上記電気機器の上記通信手段を介して送信し、上記冷蔵庫から上記時刻情報と上記記憶情報とを受信して、上記時刻情報に基づいて上記電気機器の上記時刻情報を設定すると共に、再通電前に最後に上記冷蔵庫へ送信した上記記憶情報を上記電気機器の上記記憶手段に再記憶させることを特徴とする冷蔵庫と電気機器との情報共有システム。
【請求項６】
請求項１に記載の冷蔵庫と電気機器との情報共有システムにおいて、
上記冷蔵庫の上記制御手段は、上記冷蔵庫の上記時計手段の上記時刻情報が変更された場合、この変更された時刻情報を上記電気機器に上記冷蔵庫の上記通信手段を介して送信し、
上記電気機器の上記制御手段は、上記冷蔵庫から受信した上記時刻情報に基づいて、上記電気機器の上記時計手段の上記時刻情報を変更することを特徴とする冷蔵庫と電気機器との情報共有システム。
【請求項７】
請求項１に記載の冷蔵庫と電気機器との情報共有システムにおいて、
上記電気機器の上記制御手段は、上記電気機器の上記時計手段の上記時刻情報が変更された場合、この変更された時刻情報を上記冷蔵庫に上記電気機器の上記通信手段を介して送信し、
上記冷蔵庫の上記制御手段は、上記電気機器から受信した上記時刻情報に基づいて、上記冷蔵庫の上記時計手段の上記時刻情報を変更することを特徴とする冷蔵庫と電気機器との情報共有システム。
【請求項８】
請求項１に記載の冷蔵庫と電気機器との情報共有システムにおいて、
上記冷蔵庫の上記制御手段は、上記冷蔵庫の上記時計手段の上記時刻情報が変更された場合、この変更された時刻情報を上記電気機器に上記冷蔵庫の上記通信手段を介して送信する一方、上記電気機器から上記時刻情報を受信した場合、この受信した時刻情報に基づいて、上記冷蔵庫の上記時計手段の上記時刻情報を変更し、
上記電気機器の上記制御手段は、上記電気機器の上記時計手段の上記時刻情報が変更された場合、この変更された時刻情報を上記冷蔵庫に上記電気機器の上記通信手段を介して送信する一方、上記冷蔵庫から上記時刻情報を受信した場合、この受信した時刻情報に基づいて、上記電気機器の上記時計手段の上記時刻情報を変更することを特徴とする冷蔵庫と電気機器との情報共有システム。
【請求項９】
請求項１に記載の冷蔵庫と電気機器との情報共有システムにおいて、
一つの上記冷蔵庫と複数の上記電気機器のそれぞれとが、接続され、
上記冷蔵庫の上記制御手段は、上記冷蔵庫の上記時計手段の上記時刻情報が変更された場合、この変更された時刻情報を上記複数の電気機器に上記冷蔵庫の上記通信手段を介して送信する一方、一の上記電気機器から上記時刻情報を受信した場合、この受信した時刻情報に基づいて、上記冷蔵庫の上記時計手段の上記時刻情報を変更すると共に、この変更された時刻情報を、上記一の電気機器以外の全ての上記電気機器に上記冷蔵庫の上記通信手段を介して送信し、
上記電気機器の上記制御手段は、上記電気機器の上記時計手段の上記時刻情報が変更された場合、この変更された時刻情報を上記冷蔵庫に上記電気機器の上記通信手段を介して送信する一方、上記冷蔵庫から上記時刻情報を受信した場合、この受信した時刻情報に基づいて、上記電気機器の上記時計手段の上記時刻情報を変更することを特徴とする冷蔵庫と電気機器との情報共有システム。
【請求項１０】
請求項１に記載の冷蔵庫と電気機器との情報共有システムにおいて、
上記冷蔵庫は、さらに、ネットワークに接続されるネットワーク通信手段を有し、
上記冷蔵庫の上記制御手段は、上記ネットワークを介して、標準時刻情報を受信し、この標準時刻情報に基づいて、上記冷蔵庫の上記時計手段の上記時刻情報を変更することを特徴とする冷蔵庫と電気機器との情報共有システム。
【発明の詳細な説明】
【技術分野】
【０００１】
この発明は、冷蔵庫と電気機器との情報共有システムに関する。
【背景技術】
【０００２】
最近、冷蔵庫等の厨房の電気機器では、時計機能を持つものが増えている。しかし、これらの電気機器では、それぞれの時計機能の精度に差が有り、正確に時間を合わせてもいずれ差が生じて、それぞれの時刻を合わせなおす必要がある。また、これらの電気機器のコンセントの抜き差し等で制御回路がバックアップできずに、時計がリセットされたときも、それぞれの時刻を合わせ直す必要があり、それらの煩わしい作業を自動的に行う方法が、以前から切望されていた。
【０００３】
従来、この種の電気機器の情報共有システムとしては、特開平１０−３１１８８６号公報（特許文献１）に開示されているように、一のパソコンにおいて、標準時刻情報を取得して自らの時刻の変更をするとともに、他のパソコンの時刻も一致させることで、全てのパソコンを標準時刻に一致させるものがある。
【０００４】
また、特開２００１−３４０２１７号公報（特許文献２）に開示されているように、バックアップ用電源を有する炊飯ジャーにおける時計情報やメモリ情報を、バックアップ用電源を有さない電気ポットと共有し、この電気ポットは、無通電状態から通電状態への復帰時に、上記炊飯ジャーから、通信を介して、現在時刻や設定データを取得して、自動設定（再記憶）を行うものがある。
【０００５】
しかしながら、上記特許文献１に開示されている従来例では、上記一のパソコンを使用しないときは、この一のパソコンの電源を切るので、この一のパソコンは作動しなくなって、上記他のパソコンの時刻は、相互に一致せずに、不正確になる欠点があった。
【０００６】
また、上記特許文献２に開示されている従来例では、上記炊飯ジャーは、バックアップ用電源を有するので、このバックアップ用電源のための装置を設ける必要があり、構成が複雑で、コスト高であった。
【特許文献１】特開平１０−３１１８８６号公報
【特許文献２】特開２００１−３４０２１７号公報
【発明の開示】
【発明が解決しようとする課題】
【０００７】
そこで、この発明の課題は、情報を確実に保持して信頼できる情報を共用できると共に、構成を簡略化してコストダウンを図ることができる冷蔵庫と電気機器との情報共有システムを提供することにある。
【課題を解決するための手段】
【０００８】
上記課題を解決するため、この発明の冷蔵庫と電気機器との情報共有システムは、
通信手段、時計手段および制御手段を有する冷蔵庫と、
通信手段、時計手段および制御手段を有する電気機器と
を備え、
上記冷蔵庫の上記通信手段と上記電気機器の上記通信手段とは、接続され、
上記冷蔵庫の上記制御手段と上記電気機器の上記制御手段とは、少なくとも上記冷蔵庫の上記時計手段の時刻情報と上記電気機器の上記時計手段の時刻情報とを、一致させることを特徴としている。
【０００９】
この発明の冷蔵庫と電気機器との情報共有システムによれば、上記冷蔵庫と上記電気機器とは、通信を介して、接続され、上記冷蔵庫と上記電気機器とは、少なくとも相互の上記時刻情報を、一致させるので、上記冷蔵庫にて、少なくとも上記時刻情報を、保持しておくことができて、（上記冷蔵庫および上記電気機器を含む）機器間で信頼できる時刻情報を共用できると共に、システムの構成を簡略化して、コストダウンを図ることができる。
【００１０】
要するに、上記冷蔵庫は、一般に、常時通電しているものであるので、この冷蔵庫を、上記時刻情報を保持する保持元（親機）にすることで、以下の効果を奏する。すなわち、上記冷蔵庫では、この冷蔵庫の時計手段を動作するためだけに通電することがないので（要するに、上記冷蔵庫では、本来の冷蔵するという目的のために常時通電しているので）、コンセントの差し忘れがなく、上記時刻情報を確実に保持（記憶）しておくことができて、機器間で信頼できる時刻情報を共用できる。また、上記冷蔵庫では、上記時刻情報をバックアップするための電源が不要になって、このバックアップ用電源装置を別途設ける必要がなく、システムの構成を簡略化して、コストダウンを図ることができる。もちろん、上記電気機器においても、この電気機器の時計手段を動作するためだけの通電が不要になると共に、バックアップ用電源が不要になる。
【００１１】
また、一実施形態の冷蔵庫と電気機器との情報共有システムでは、
上記冷蔵庫の上記制御手段は、所定の間隔で、上記冷蔵庫の上記時計手段の上記時刻情報を上記電気機器に上記冷蔵庫の上記通信手段を介して送信し、
上記電気機器の上記制御手段は、上記冷蔵庫から受信した上記時刻情報に基づいて、上記電気機器の上記時計手段の上記時刻情報を変更する。
【００１２】
この一実施形態の冷蔵庫と電気機器との情報共有システムによれば、上記冷蔵庫から上記電気機器への片方向の通信システムにより、上記電気機器は、一定周期毎に、上記冷蔵庫から上記時刻情報を得ることで、上記電気機器の時刻を、上記冷蔵庫の時刻と同期させて、機器間の時刻のバラつきを解消できる。
【００１３】
また、一実施形態の冷蔵庫と電気機器との情報共有システムでは、
上記冷蔵庫の上記制御手段は、上記電気機器から情報送信の要求信号を受信した場合、上記冷蔵庫の上記時計手段の上記時刻情報を上記電気機器に上記冷蔵庫の上記通信手段を介して送信し、
上記電気機器の上記制御手段は、上記冷蔵庫に情報送信の要求信号を上記電気機器の上記通信手段を介して送信した場合、上記冷蔵庫から上記時刻情報を受信して、上記時刻情報に基づいて上記電気機器の上記時刻情報を変更する。
【００１４】
この一実施形態の冷蔵庫と電気機器との情報共有システムによれば、上記冷蔵庫と上記電気機器との双方向の通信システムにより、上記電気機器は、上記電気機器が必要とする時期、或いは所定の周期毎に、上記冷蔵庫から上記時刻情報を得ることで、上記電気機器の時刻を、上記冷蔵庫と同期させて、機器間の時刻のバラつきを解消できる。
【００１５】
また、一実施形態の冷蔵庫と電気機器との情報共有システムでは、
上記冷蔵庫の上記制御手段は、上記電気機器から情報送信の要求信号を受信した場合、上記冷蔵庫の上記時計手段の上記時刻情報を上記電気機器に上記冷蔵庫の上記通信手段を介して送信し、
上記電気機器の上記制御手段は、無通電状態から通電状態に復帰するときに、上記冷蔵庫に情報送信の要求信号を上記電気機器の上記通信手段を介して送信し、上記冷蔵庫から上記時刻情報を受信して、上記時刻情報に基づいて上記電気機器の上記時刻情報を設定する。
【００１６】
この一実施形態の冷蔵庫と電気機器との情報共有システムによれば、上記冷蔵庫と上記電気機器との双方向の通信システムにより、上記電気機器の電源を抜き差ししても、上記電気機器は、上記冷蔵庫から上記時刻情報を得て、自動設定されることで、上記電気機器において、バックアップ用電源および水晶発振による高精度の時計回路を省略して、コスト低減を図ると同時に、再通電時に、毎回時刻を設定する手間を不要にすることができる。また、普段、時計動作だけのために、上記電気機器を通電させることが不要になって、節電効果もある。
【００１７】
また、一実施形態の冷蔵庫と電気機器との情報共有システムでは、
上記冷蔵庫および上記電気機器は、さらに、記憶手段を有し、
上記冷蔵庫の上記制御手段は、上記電気機器の上記記憶手段から記憶情報を受信した場合、この記憶情報を上記冷蔵庫の上記記憶手段に記憶させる一方、上記電気機器から情報送信の要求信号を受信した場合、上記冷蔵庫の上記時計手段の上記時刻情報と上記電気機器から受信した上記記憶情報とを上記電気機器に上記冷蔵庫の上記通信手段を介して送信し、
上記電気機器の上記制御手段は、通電状態で、上記電気機器の上記記憶手段の記憶情報を更新する毎に、この記憶情報を上記冷蔵庫に上記電気機器の上記通信手段を介して送信する一方、無通電状態から通電状態に復帰するときに、上記冷蔵庫に情報送信の要求信号を上記電気機器の上記通信手段を介して送信し、上記冷蔵庫から上記時刻情報と上記記憶情報とを受信して、上記時刻情報に基づいて上記電気機器の上記時刻情報を設定すると共に、再通電前に最後に上記冷蔵庫へ送信した上記記憶情報を上記電気機器の上記記憶手段に再記憶させる。
【００１８】
この一実施形態の冷蔵庫と電気機器との情報共有システムによれば、上記冷蔵庫と上記電気機器との双方向の通信システムにより、上記電気機器の電源を抜き差ししても、上記電気機器は、上記冷蔵庫から上記時刻情報および（設定データ等の）上記記憶情報を得て、自動設定されることで、上記電気機器において、バックアップ用電源、水晶発振による高精度の時計回路、および、不揮発性メモリを省略して、コスト低減を図ると同時に、再通電時に、毎回時刻やデータを設定する手間を不要にすることができる。また、普段、時計動作やデータの記憶だけのために、上記電気機器を通電させることが不要になって、節電効果もある。
【００１９】
また、一実施形態の冷蔵庫と電気機器との情報共有システムでは、
上記冷蔵庫の上記制御手段は、上記冷蔵庫の上記時計手段の上記時刻情報が変更された場合、この変更された時刻情報を上記電気機器に上記冷蔵庫の上記通信手段を介して送信し、
上記電気機器の上記制御手段は、上記冷蔵庫から受信した上記時刻情報に基づいて、上記電気機器の上記時計手段の上記時刻情報を変更する。
【００２０】
この一実施形態の冷蔵庫と電気機器との情報共有システムによれば、上記冷蔵庫から上記電気機器への片方向の通信システムにより、上記冷蔵庫の時刻を変更すると、上記電気機器は上記冷蔵庫から時刻情報を得ることで、上記電気機器の時刻を上記冷蔵庫と同期させて、時刻変更の手間を一度で済ますことができる。
【００２１】
また、一実施形態の冷蔵庫と電気機器との情報共有システムでは、
上記電気機器の上記制御手段は、上記電気機器の上記時計手段の上記時刻情報が変更された場合、この変更された時刻情報を上記冷蔵庫に上記電気機器の上記通信手段を介して送信し、
上記冷蔵庫の上記制御手段は、上記電気機器から受信した上記時刻情報に基づいて、上記冷蔵庫の上記時計手段の上記時刻情報を変更する。
【００２２】
この一実施形態の冷蔵庫と電気機器との情報共有システムによれば、上記電気機器から上記冷蔵庫への片方向の通信システムにより、上記電気機器の時刻を変更すると、上記冷蔵庫は上記電気機器から時刻情報を得ることで、上記冷蔵庫の時刻を上記電気機器と同期させて、時刻変更の手間を一度で済ますことができる。
【００２３】
また、一実施形態の冷蔵庫と電気機器との情報共有システムでは、
上記冷蔵庫の上記制御手段は、上記冷蔵庫の上記時計手段の上記時刻情報が変更された場合、この変更された時刻情報を上記電気機器に上記冷蔵庫の上記通信手段を介して送信する一方、上記電気機器から上記時刻情報を受信した場合、この受信した時刻情報に基づいて、上記冷蔵庫の上記時計手段の上記時刻情報を変更し、
上記電気機器の上記制御手段は、上記電気機器の上記時計手段の上記時刻情報が変更された場合、この変更された時刻情報を上記冷蔵庫に上記電気機器の上記通信手段を介して送信する一方、上記冷蔵庫から上記時刻情報を受信した場合、この受信した時刻情報に基づいて、上記電気機器の上記時計手段の上記時刻情報を変更する。
【００２４】
この一実施形態の冷蔵庫と電気機器との情報共有システムによれば、上記冷蔵庫と上記電気機器との双方向の通信システムにより、上記冷蔵庫の時刻を変更すると、上記電気機器は上記冷蔵庫から時刻情報を得て、また、上記電気機器の時刻を変更すると、上記冷蔵庫は上記電気機器から時刻情報を得ることで、互いに時刻を変更すると、自動的に片方の機器の時刻も一致させて、時刻変更の手間を一度で済ますことができる。
【００２５】
また、一実施形態の冷蔵庫と電気機器との情報共有システムでは、
一つの上記冷蔵庫と複数の上記電気機器のそれぞれとが、接続され、
上記冷蔵庫の上記制御手段は、上記冷蔵庫の上記時計手段の上記時刻情報が変更された場合、この変更された時刻情報を上記複数の電気機器に上記冷蔵庫の上記通信手段を介して送信する一方、一の上記電気機器から上記時刻情報を受信した場合、この受信した時刻情報に基づいて、上記冷蔵庫の上記時計手段の上記時刻情報を変更すると共に、この変更された時刻情報を、上記一の電気機器以外の全ての上記電気機器に上記冷蔵庫の上記通信手段を介して送信し、
上記電気機器の上記制御手段は、上記電気機器の上記時計手段の上記時刻情報が変更された場合、この変更された時刻情報を上記冷蔵庫に上記電気機器の上記通信手段を介して送信する一方、上記冷蔵庫から上記時刻情報を受信した場合、この受信した時刻情報に基づいて、上記電気機器の上記時計手段の上記時刻情報を変更する。
【００２６】
この一実施形態の冷蔵庫と電気機器との情報共有システムによれば、上記冷蔵庫と上記電気機器との双方向の通信システムにより、上記冷蔵庫の時刻を変更すると、全ての上記電気機器は上記冷蔵庫から時刻情報を得て、また、一の電気機器の時刻を変更すると、上記冷蔵庫は、上記一の電気機器から時刻情報を得て、さらに、その他の電気機器に時刻情報を送ることで、一の機器の時刻を変更すると、自動的に、通信で繋がる他のすべての機器の時刻も一致させて、時刻変更の手間を一度で済ますことができる。
【００２７】
要するに、上記冷蔵庫と上記複数の電気機器のそれぞれとが、接続されるので、上記電気機器同士の通信を省略して、（配線等の）通信経路を少なくできる。また、上記一の電気機器の時刻情報を変更すると、この変更された時刻情報を、必ず上記冷蔵庫を介して、上記一の電気機器以外の全ての上記電気機器に送信するので、上記電気機器同士が通信されることがなくて、混線を防止できると共に、常時通電の上記冷蔵庫により、時刻情報を確実に保持して、信頼できる時刻情報を、機器間で共用できる。
【００２８】
また、一実施形態の冷蔵庫と電気機器との情報共有システムでは、
上記冷蔵庫は、さらに、ネットワークに接続されるネットワーク通信手段を有し、
上記冷蔵庫の上記制御手段は、上記ネットワークを介して、標準時刻情報を受信し、この標準時刻情報に基づいて、上記冷蔵庫の上記時計手段の上記時刻情報を変更する。
【００２９】
この一実施形態の冷蔵庫と電気機器との情報共有システムによれば、上記冷蔵庫のみを上記ネットワークに接続し、上記電気機器は上記冷蔵庫と通信を介して接続することで、上記電気機器が上記ネットワークに接続しないので、最低限のシステム構成により、コスト低減を図ると同時に、上記ネットワークにより標準時刻情報を得た上記冷蔵庫と通信を介して接続される上記電気機器の時刻も、自動的に一致させることで、機器間の時刻のバラつきを解消できる。
【発明の効果】
【００３０】
この発明の冷蔵庫と電気機器との情報共有システムによれば、上記冷蔵庫を少なくとも時刻情報を保持する保持元にしているので、時刻情報を確実に保持して、信頼できる時刻情報を、冷蔵庫と電気機器との間で共用できると共に、システムの構成を簡略化して、コストダウンを図ることができる。
【００３１】
また、冷蔵庫と通信を介して接続される電気機器の時刻を自動的に一致させることで、機器間の時刻のバラつきを解消できる。
【００３２】
また、冷蔵庫と通信を介して接続される電気機器の電源を抜き差ししても、冷蔵庫との通信を介して時刻や設定データを自動設定させることで、電気機器のバックアップ電源や水晶発振による高精度の時計回路や不揮発性メモリを省略して、コスト低減を図ると同時に、再通電時に、毎回時刻やデータの設定する手間を不要にすることができる。また、普段、電気機器を時計動作だけのために通電させることが不要になり節電効果もある。
【００３３】
さらに、冷蔵庫と通信を介して接続される電気機器のいずれか一つの機器の時刻を変更すると、自動的に残りの機器の時刻も一致させることで、時刻変更の手間を一度で済ますことができる。
【００３４】
また、すべての機器をネットワーク接続しなくても、冷蔵庫のみをネットワークに接続し他の電気機器は冷蔵庫と通信を介して接続することで、最低限のシステム構成により、コスト低減を図ると同時に、ネットワークにより、標準時刻情報を得た冷蔵庫と通信を介して接続される電気機器の時刻も自動的に一致させることで、機器間の時刻のバラつきを解消できる。
【発明を実施するための最良の形態】
【００３５】
以下、この発明を図示の実施の形態により詳細に説明する。
【００３６】
（第１の実施形態）
図１は、この発明の冷蔵庫と電気機器との情報共有システムの一実施形態であるブロック図を示している。図２は、この発明の情報共有システムの簡略構成図を示している。
【００３７】
図１と図２に示すように、この発明の情報共有システムは、一つの冷蔵庫１０と、この冷蔵庫１０と通信を介して接続されている二つの電気機器２０ａ，２０ｂとを備える。
【００３８】
上記冷蔵庫１０は、制御手段１１、時計手段１２、記憶手段１３、第１の通信手段１４ａおよび第２の通信手段１４ｂを有する。上記第１の電気機器２０ａは、制御手段２１ａ、時計手段２２ａ、記憶手段２３ａおよび通信手段２４ａを有する。上記第２の電気機器２０ｂは、制御手段２１ｂ、時計手段２２ｂ、記憶手段２３ｂおよび通信手段２４ｂを有する。
【００３９】
上記冷蔵庫１０の上記第１の通信手段１４ａと、上記第１の電気機器２０ａの通信手段２４ａとが、接続され、上記冷蔵庫１０の上記第２の通信手段１４ｂと、上記第２の電気機器２０ｂの通信手段２４ｂとが、接続される。
【００４０】
上記各機器の制御手段１１，２１ａ，２１ｂは、データの送受信、時刻の変更等を含む制御を行い、上記各機器の時計手段１２，２２ａ，２２ｂ、上記各機器の記憶手段１３，２３ａ，２３ｂ、および、上記各機器の通信手段１４ａ，１４ｂ，２４ａ，２４ｂを制御する。
【００４１】
上記各機器の時計手段１２，２２ａ，２２ｂは、それぞれ別個に時刻をカウントしている。上記各機器の記憶手段１３，２３ａ，２３ｂは、制御情報等のデータが格納されている。上記各機器の通信手段１４ａ，１４ｂ，２４ａ，２４ｂは、上記冷蔵庫１０と上記第１の電気機器２０ａおよび上記第２の電気機器２０ｂの間の通信を行う。
【００４２】
そして、上記冷蔵庫１０の上記制御手段１１と、上記第１の電気機器２０ａの上記制御手段２１ａおよび上記第２の電気機器２０ｂの上記制御手段２１ｂとは、少なくとも上記冷蔵庫１０の上記時計手段１２の時刻情報と、上記第１の電気機器２０ａの上記時計手段２２ａの時刻情報および上記第２の電気機器２０ｂの上記時計手段２２ｂの時刻情報とを、一致させる。
【００４３】
上記冷蔵庫１０は、一般に、常時通電しているものであるので、この冷蔵庫１０を、上記時刻情報を保持する保持元（親機）にすることで、以下の効果を奏する。すなわち、上記冷蔵庫１０では、この冷蔵庫１０の時計手段１２を動作するためだけに通電することがないので、コンセントの差し忘れがなく、上記時刻情報を確実に保持（記憶）しておくことができて、上記冷蔵庫１０と上記電気機器２０ａ，２０ｂとの間で信頼できる時刻情報を共用できる。また、上記冷蔵庫１０では、上記時刻情報をバックアップするための電源が不要になって、このバックアップ用電源装置を別途設ける必要がなく、システムの構成を簡略化して、コストダウンを図ることができる。もちろん、上記電気機器２０ａ，２０ｂにおいても、この電気機器２０ａ，２０ｂの時計手段２２ａ，２２ｂを動作するためだけの通電が不要になると共に、バックアップ用電源が不要になる。
【００４４】
ここで、以下の説明において、冷蔵庫と電気機器との間の通信手段については有線でも、新たな配線が不要な無線、赤外線や電灯線搬送通信方式を用いてもよい。また、各機器の具体的な通信手段については、特に限定せず、任意の通信手段を介して伝送される情報の内容とこの情報を用いた制御に主眼を置くことにする。また、物理的な通信線とこの通信線の接続用コネクタ、および、通信のためのインターフェイス部は特に図示しない。また、冷蔵庫に接続される電気機器の台数は限定しない。ただし、以下のフローチャート図に基づいた説明においては、その説明が複雑になるため、特に必要がない場合を除いて、冷蔵庫に接続される電気機器を一台として説明することとする。また、電気機器としては、例えば、電子レンジ、電気ポット、炊飯ジャー等を用いる。
【００４５】
次に、上記構成の情報共有システムの動作の第１の実施形態を、図２と図５を用いて、説明する。
【００４６】
上記冷蔵庫１０の上記制御手段１１において、
（ステップＳ５０）では、予め設定された周期をカウントし所定の時期になると、次のステップＳ５１に移行し、
（ステップＳ５１）では、上記通信手段１４ａ（１４ｂ）を介して、上記時計手段１２の時刻データ（時刻情報）を上記電気機器２０ａ（２０ｂ）に送信する。
【００４７】
上記電気機器２０ａ（２０ｂ）の上記制御手段２１ａ（２１ｂ）において、
（ステップＳ５２）では、上記通信手段２４ａ（２４ｂ）を介して、上記冷蔵庫１０の上記時計手段１２の時刻データを受信すると、次のステップＳ５３に移行し、
（ステップＳ５３）では、受信した時刻データをもとに上記時計手段２２ａ（２２ｂ）の時刻を変更する。
【００４８】
以上まとめると、上記冷蔵庫１０の上記制御手段１１は、所定の間隔で、上記冷蔵庫１０の上記時計手段１２の上記時刻情報を、上記電気機器２０ａ（２０ｂ）に送信し、
上記電気機器２０ａ（２０ｂ）の上記制御手段２１ａ（２１ｂ）は、上記冷蔵庫１０から受信した上記時刻情報に基づいて、上記電気機器２０ａ（２０ｂ）の上記時計手段２２ａ（２２ｂ）の上記時刻情報を変更する。
【００４９】
なお、時刻データの変更方法については、以下の説明も含めて、上書き、或いは、時間差による変更可否の制限を加えてもよく、その具体的な方法は問わないこととする。
【００５０】
このように、上記電気機器２０ａ（２０ｂ）は、一定周期毎に、上記冷蔵庫１０から上記時刻情報を得ることで、上記電気機器２０ａ（２０ｂ）の時刻を、上記冷蔵庫１０の時刻と同期させて、機器間の時刻のバラつきを解消できる。
【００５１】
（第２の実施形態）
次に、上記構成の情報共有システムの動作の第２の実施形態を、図２と図６を用いて、説明する。
【００５２】
上記電気機器２０ａ（２０ｂ）の上記制御手段２１ａ（２１ｂ）において、
（ステップＳ６０）では、予め設定された周期をカウントして、所定の時期になると、次のステップＳ６１に移行し、
（ステップＳ６１）では、上記通信手段２４ａ（２４ｂ）を介して、時刻データの送信要求を、上記冷蔵庫１０に送信する。
【００５３】
上記冷蔵庫１０の上記制御手段１１において、
（ステップＳ６２）では、上記通信手段１１ａ（１１ｂ）を介して、上記電気機器２０ａ（２０ｂ）から、時刻データの送信要求を受信すると、次のステップＳ６３に移行し、
（ステップＳ６３）では、上記通信手段１１ａ（１１ｂ）を介して、上記時計手段１２の時刻データを電気機器２０ａ（２０ｂ）に送信する。
【００５４】
上記電気機器２０ａ（２０ｂ）の上記制御手段２１ａ（２１ｂ）において、
（ステップＳ６４）では、上記通信手段２４ａ（２４ｂ）を介して、上記冷蔵庫１０の上記時計手段１２の時刻データを受信すると、次のステップＳ６５に移行し、
（ステップＳ６５）では、受信した時刻データをもとに、上記時計手段２２ａ（２２ｂ）の時刻を変更する。
【００５５】
以上まとめると、上記冷蔵庫１０の上記制御手段１１は、上記電気機器２０ａ（２０ｂ）から情報送信の要求信号を受信して、上記冷蔵庫１０の上記時計手段１２の上記時刻情報を上記電気機器２０ａ（２０ｂ）に送信し、
上記電気機器２０ａ（２０ｂ）の上記制御手段２１ａ（２１ｂ）は、上記冷蔵庫１０に情報送信の要求信号を送信し、上記冷蔵庫１０から上記時刻情報を受信して、上記時刻情報に基づいて上記電気機器２０ａ（２０ｂ）の上記時刻情報を変更する。
【００５６】
このように、上記電気機器２０ａ（２０ｂ）は、上記電気機器２０ａ（２０ｂ）が必要とする時期、或いは所定の周期毎に、上記冷蔵庫１０から上記時刻情報を得ることで、上記電気機器２０ａ（２０ｂ）の時刻を、上記冷蔵庫１０と同期させて、機器間の時刻のバラつきを解消できる。
【００５７】
（第３の実施形態）
次に、上記構成の情報共有システムの動作の第３の実施形態を、図２と図７を用いて、説明する。
【００５８】
上記電気機器２０ａ（２０ｂ）の上記制御手段２１ａ（２１ｂ）において、
（ステップＳ７０）では、非通電（無通電）状態から通電状態に移行する際に、次のステップＳ７１に移行し、
（ステップＳ７１）では、上記通信手段２４ａ（２４ｂ）を介して、時刻データの送信要求を上記冷蔵庫１０に送信する。
【００５９】
上記冷蔵庫１０の上記制御手段１１において、
（ステップＳ７２）では、上記通信手段１４ａ（１４ｂ）を介して、上記電気機器２０ａ（２０ｂ）から時刻データの送信要求を受信すると、次のステップＳ７３に移行し、
（ステップＳ７３）では、上記通信手段１４ａ（１４ｂ）を介して、上記時計手段１２の時刻データを上記電気機器２０ａ（２０ｂ）に送信する。
【００６０】
上記電気機器２０ａ（２０ｂ）の上記制御手段２１ａ（２１ｂ）において、
（ステップＳ７４）では、上記通信手段２４ａ（２４ｂ）を介して、上記冷蔵庫１０の上記時計手段１２の時刻データを受信すると、次のステップＳ７５に移行し、
（ステップＳ７５）では、受信した時刻データをもとに上記時計手段２２ａ（２２ｂ）の時刻を変更する。
【００６１】
以上まとめると、上記冷蔵庫１０の上記制御手段１１は、上記電気機器２０ａ（２０ｂ）から情報送信の要求信号を受信して、上記冷蔵庫１０の上記時計手段１２の上記時刻情報を上記電気機器２０ａ（２０ｂ）に送信し、
上記電気機器２０ａ（２０ｂ）の上記制御手段２１ａ（２１ｂ）は、無通電状態から通電状態に復帰するときに、上記冷蔵庫１０に情報送信の要求信号を送信し、上記冷蔵庫１０から上記時刻情報を受信して、上記時刻情報に基づいて上記電気機器２０ａ（２０ｂ）の上記時刻情報を設定する。
【００６２】
このように、上記電気機器２０ａ（２０ｂ）の電源を抜き差ししても、上記電気機器２０ａ（２０ｂ）は、上記冷蔵庫１０から上記時刻情報を得て、自動設定されることで、上記電気機器２０ａ（２０ｂ）において、バックアップ用電源および水晶発振による高精度の時計回路を省略して、コスト低減を図ると同時に、再通電時に、毎回時刻を設定する手間を不要にすることができる。また、普段、時計動作だけのために、上記電気機器２０ａ（２０ｂ）を通電させることが不要になって、節電効果もある。
【００６３】
（第４の実施形態）
次に、上記構成の情報共有システムの動作の第４の実施形態を、図２と図８を用いて、説明する。
【００６４】
上記電気機器２０ａ（２０ｂ）の上記制御手段２１ａ（２１ｂ）において、
（ステップＳ８０）では、非通電状態から通電状態に移行する際に、次のステップＳ８１に移行し、
（ステップＳ８１）では、上記通信手段２４ａ（２４ｂ）を介して、時刻（時刻情報）、及び、記憶データ（記憶情報）の送信要求を、上記冷蔵庫１０に送信する。
【００６５】
上記冷蔵庫１０の上記制御手段１１において、
（ステップＳ８２）では、上記通信手段１４ａ（１４ｂ）を介して、上記電気機器２０ａ（２０ｂ）から時刻及び記憶データの送信要求を受信すると、次のステップＳ８３に移行し、
（ステップＳ８３−１）では、上記通信手段１４ａ（１４ｂ）を介して、上記時計手段１２の時刻データを、上記電気機器２０ａ（２０ｂ）に送信し、
（ステップＳ８３−２）では、上記通信手段１４ａ（１４ｂ）を介して、上記記憶手段１３に記憶された設定データを、上記電気機器２０ａ（２０ｂ）に送信する。
【００６６】
上記電気機器２０ａ（２０ｂ）の上記制御手段２１ａ（２１ｂ）において、
（ステップＳ８４−１）では、上記通信手段２４ａ（２４ｂ）を介して、上記冷蔵庫１０の上記時計手段１２の時刻データを受信すると、次のステップＳ８４−２に移行し、
（ステップＳ８４−２）では、受信した時刻データをもとに、上記時計手段２２ａ（２２ｂ）の時刻を変更し、
（ステップＳ８５−１）では、上記通信手段２４ａ（２４ｂ）を介して、上記冷蔵庫１０の上記記憶手段１３に記憶された設定データを受信すると、次のステップＳ８５−２に移行し、
（ステップＳ８５−２）では、受信した設定データを上記記憶手段２３ａ（２３ｂ）の元の設定データ領域に再記憶し、
（ステップＳ８６）では、通電中に、使用者の操作、時間経過、或いは機器の状態変化等により、上記記憶手段２３ａ（２３ｂ）の設定データを更新すると、次のステップＳ８７に移行し、
（ステップＳ８７）では、上記通信手段２４ａ（２４ｂ）を介して、上記記憶手段２３ａ（２３ｂ）の設定データを、上記冷蔵庫１０に送信する。
【００６７】
上記冷蔵庫１０の上記制御手段１１において、
（ステップＳ８８）では、上記通信手段１４ａ（１４ｂ）を介して、上記電気機器２０ａ（２０ｂ）の上記記憶手段２３ａ（２３ｂ）の設定データを受信すると、次のステップＳ８９に移行し、
（ステップＳ８９）では、受信した設定データをバックアップのため、上記記憶手段１３の予め定められた領域に記憶する。
【００６８】
以上まとめると、上記冷蔵庫１０の上記制御手段１３は、上記電気機器２０ａ（２０ｂ）の上記記憶手段２３ａ（２３ｂ）から記憶情報を受信して、この記憶情報を上記冷蔵庫１０の上記記憶手段１３に記憶する一方、上記電気機器２０ａ（２０ｂ）から情報送信の要求信号を受信して、上記冷蔵庫１０の上記時計手段１２の上記時刻情報と上記電気機器２０ａ（２０ｂ）から受信した上記記憶情報とを上記電気機器２０ａ（２０ｂ）に送信し、
上記電気機器２０ａ（２０ｂ）の上記制御手段２１ａ（２１ｂ）は、通電状態で、上記電気機器２０ａ（２０ｂ）の上記記憶手段２３ａ（２３ｂ）の記憶情報を更新する毎に、この記憶情報を上記冷蔵庫１０に送信する一方、無通電状態から通電状態に復帰するときに、上記冷蔵庫１０に情報送信の要求信号を送信し、上記冷蔵庫１０から上記時刻情報と上記記憶情報とを受信して、上記時刻情報に基づいて上記電気機器２０ａ（２０ｂ）の上記時刻情報を設定すると共に、再通電前に最後に上記冷蔵庫１０へ送信した上記記憶情報を上記電気機器２０ａ（２０ｂ）の上記記憶手段２３ａ（２３ｂ）に再記憶する。
【００６９】
このように、上記電気機器２０ａ（２０ｂ）の電源を抜き差ししても、上記電気機器２０ａ（２０ｂ）は、上記冷蔵庫１０から上記時刻情報および上記記憶情報を得て、自動設定されることで、上記電気機器２０ａ（２０ｂ）において、バックアップ用電源、水晶発振による高精度の時計回路、および、不揮発性メモリを省略して、コスト低減を図ると同時に、再通電時に、毎回時刻やデータを設定する手間を不要にすることができる。また、普段、時計動作やデータの記憶だけのために、上記電気機器２０ａ（２０ｂ）を通電させることが不要になって、節電効果もある。
【００７０】
（第５の実施形態）
次に、上記構成の情報共有システムの動作の第５の実施形態を、図２と図９を用いて、説明する。
【００７１】
上記冷蔵庫１０の上記制御手段１１において、
（ステップＳ９０）では、使用者が時刻の変更を操作し入力を受付けると、次のステップＳ９１に移行し、
（ステップＳ９１）では、変更した時刻データをもとに、上記時計手段１２の時刻を変更し、次のステップＳ９２に移行し、
（ステップＳ９２）では、上記通信手段１４ａ（１４ｂ）を介して、上記時計手段１２の時刻データを上記電気機器２０ａ（２０ｂ）に送信する。
【００７２】
上記電気機器２０ａ（２０ｂ）の上記制御手段２１ａ（２１ｂ）において、
（ステップＳ９３）では、上記通信手段２４ａ（２４ｂ）を介して、上記冷蔵庫１０の上記時計手段１２の時刻データを受信すると、次のステップＳ９４に移行し、
（ステップＳ９４）では、受信した時刻データをもとに、上記時計手段２２ａ（２２ｂ）の時刻を変更する。
【００７３】
以上まとめると、上記冷蔵庫１０の上記制御手段１１は、上記冷蔵庫１０の上記時計手段１２の上記時刻情報を変更されて、この変更された時刻情報を上記電気機器２０ａ（２０ｂ）に送信し、
上記電気機器２０ａ（２０ｂ）の上記制御手段２１ａ（２１ｂ）は、上記冷蔵庫１０から受信した上記時刻情報に基づいて、上記電気機器２０ａ（２０ｂ）の上記時計手段２２ａ（２２ｂ）の上記時刻情報を変更する。
【００７４】
このように、上記冷蔵庫１０の時刻を変更すると、上記電気機器２０ａ（２０ｂ）は上記冷蔵庫１０から時刻情報を得ることで、上記電気機器２０ａ（２０ｂ）の時刻を上記冷蔵庫１０と同期させて、時刻変更の手間を一度で済ますことができる。
【００７５】
（第６の実施形態）
次に、上記構成の情報共有システムの動作の第６の実施形態を、図２と図１０を用いて、説明する。
【００７６】
上記電気機器２０ａ（２０ｂ）の上記制御手段２１ａ（２１ｂ）において、
（ステップＳ１００）では、使用者が時刻の変更を操作し、入力を受付けると、次のステップＳ１０１に移行し、
（ステップＳ１０１）では、変更した時刻データをもとに、上記時計手段２２ａ（２２ｂ）の時刻を変更し、次のステップＳ１０２に移行し、
（ステップＳ１０２）では、上記通信手段２４ａ（２４ｂ）を介して、上記時計手段２２ａ（２２ｂ）の時刻データを、上記冷蔵庫１０に送信する。
【００７７】
上記冷蔵庫１０の上記制御手段１１において、
（ステップＳ１０３）では、上記通信手段１４ａ（１４ｂ）を介して、上記電気機器２０ａ（２０ｂ）の上記時計手段２２ａ（２２ｂ）の時刻データを受信すると、次のステップＳ１０４に移行し、
（ステップＳ１０４）では、受信した時刻データをもとに、上記冷蔵庫１０の上記時計手段１２の時刻を変更する。
【００７８】
以上まとめると、上記電気機器２０ａ（２０ｂ）の上記制御手段２１ａ（２１ｂ）は、上記電気機器２０ａ（２０ｂ）の上記時計手段２２ａ（２２ｂ）の上記時刻情報を変更されて、この変更された時刻情報を上記冷蔵庫１０に送信し、
上記冷蔵庫１０の上記制御手段１１は、上記電気機器２０ａ（２０ｂ）から受信した上記時刻情報に基づいて、上記冷蔵庫１０の上記時計手段１２の上記時刻情報を変更する。
【００７９】
このように、上記電気機器２０ａ（２０ｂ）の時刻を変更すると、上記冷蔵庫１０は上記電気機器２０ａ（２０ｂ）から時刻情報を得ることで、上記冷蔵庫１０の時刻を上記電気機器２０ａ（２０ｂ）と同期させて、時刻変更の手間を一度で済ますことができる。
【００８０】
（第７の実施形態）
次に、上記構成の情報共有システムの動作の第７の実施形態を、図２と図１１を用いて、説明する。
【００８１】
上記冷蔵庫１０の上記制御手段１１において、
（ステップＳ１１０）では、使用者が時刻の変更を操作し入力を受付けると、次のステップＳ１１１に移行し、
（ステップＳ１１１）では、変更した時刻データをもとに、上記時計手段１２の時刻を変更し、次のステップＳ１１２に移行し、
（ステップＳ１１２）では、上記通信手段１４ａ（１４ｂ）を介して、上記時計手段１２の時刻データを、上記電気機器２０ａ（２０ｂ）に送信する。
【００８２】
上記電気機器２０ａ（２０ｂ）の上記制御手段２１ａ（２１ｂ）において、
（ステップＳ１１３）では、上記通信手段２４ａ（２４ｂ）を介して、上記冷蔵庫１０の上記時計手段１２の時刻データを受信すると、次のステップＳ１１４に移行し、
（ステップＳ１１４）では、受信した時刻データをもとに、上記時計手段２２ａ（２２ｂ）の時刻を変更し、
（ステップＳ１１５）では、使用者が時刻の変更を操作し入力を受付けると、次のステップＳ１１６に移行し、
（ステップＳ１１６）では、変更した時刻データをもとに、上記時計手段２２ａ（２２ｂ）の時刻を変更し、次のステップＳ１１７に移行し、
（ステップＳ１１７）では、上記通信手段２４ａ（２４ｂ）を介して、上記時計手段２２ａ（２２ｂ）の時刻データを、上記冷蔵庫１０に送信する。
【００８３】
上記冷蔵庫１０の上記制御手段１１において、
（ステップＳ１１８）では、上記通信手段１４ａ（１４ｂ）を介して、上記電気機器２０ａ（２０ｂ）の上記時計手段２２ａ（２２ｂ）の時刻データを受信すると、次のステップＳ１１９に移行し、
（ステップＳ１１９）では、受信した時刻データをもとに、上記冷蔵庫１０の上記時計手段１２の時刻を変更する。
【００８４】
以上まとめると、上記冷蔵庫１０の上記制御手段１１は、上記冷蔵庫１０の上記時計手段１２の上記時刻情報を変更されて、この変更された時刻情報を上記電気機器２０ａ（２０ｂ）に送信する一方、上記電気機器２０ａ（２０ｂ）から受信した上記時刻情報に基づいて、上記冷蔵庫１０の上記時計手段１２の上記時刻情報を変更し、
上記電気機器２０ａ（２０ｂ）の上記制御手段２１ａ（２１ｂ）は、上記電気機器２０ａ（２０ｂ）の上記時計手段２２ａ（２２ｂ）の上記時刻情報を変更されて、この変更された時刻情報を上記冷蔵庫１０に送信する一方、上記冷蔵庫１０から受信した上記時刻情報に基づいて、上記電気機器２０ａ（２０ｂ）の上記時計手段２２ａ（２２ｂ）の上記時刻情報を変更する。
【００８５】
このように、上記冷蔵庫１０の時刻を変更すると、上記電気機器２０ａ（２０ｂ）は上記冷蔵庫１０から時刻情報を得て、また、上記電気機器２０ａ（２０ｂ）の時刻を変更すると、上記冷蔵庫１０は上記電気機器２０ａ（２０ｂ）から時刻情報を得ることで、互いに時刻を変更すると、自動的に片方の機器の時刻も一致させて、時刻変更の手間を一度で済ますことができる。
【００８６】
（第８の実施形態）
次に、上記構成の情報共有システムの動作の第８の実施形態を、図２と図１２を用いて、説明する。
【００８７】
上記冷蔵庫１０の上記制御手段１１において、
（ステップＳ１２０）では、使用者が時刻の変更を操作し入力を受付けると、次のステップＳ１２１に移行し、
（ステップＳ１２１）では、変更した時刻データをもとに、上記時計手段１２の時刻を変更し、次のステップＳ１２２に移行し、
（ステップＳ１２２）では、上記通信手段１４ａを介して、上記時計手段１２の時刻データを、上記第１の電気機器２０ａに送信し、次のステップＳ１２３に移行し、
（ステップＳ１２３）では、上記通信手段１４ｂを介して、上記時計手段１２の時刻データを上記第２の電気機器２０ｂに送信し、
（ステップＳ１２４）では、上記通信手段１４ａを介して、上記第１の電気機器２０ａの上記時計手段２２ａの時刻データを受信すると、次のステップＳ１２５に移行し、
（ステップＳ１２５）では、受信した時刻データをもとに、上記時計手段１２の時刻を変更し、
（ステップＳ１２６）では、上記通信手段１４ｂを介して、上記時計手段１２の時刻データを上記第２の電気機器２０ｂに送信し、
（ステップＳ１２７）では、上記通信手段１４ｂを介して、上記第２の電気機器２０ｂの上記時計手段２２ｂの時刻データを受信すると、次のステップＳ１２８に移行し、
（ステップＳ１２８）では、受信した時刻データをもとに、上記時計手段１２の時刻を変更し、
（ステップＳ１２９）では、上記通信手段１４ａを介して、上記時計手段１２の時刻データを上記第１の電気機器２０ａに送信する。
【００８８】
上記第１の電気機器２０ａの上記制御手段２１ａにおいて、
（ステップＳ１３０）では、使用者が時刻の変更を操作し入力を受付けると、次のステップＳ１３１に移行し、
（ステップＳ１３１）では、変更した時刻データをもとに上記時計手段２２ａの時刻を変更し、次のステップＳ１３２に移行し、
（ステップＳ１３２）では、上記通信手段２４ａを介して、上記時計手段２２ａの時刻データを上記冷蔵庫１０に送信し、
（ステップＳ１３３）では、上記通信手段２４ａを介して、上記冷蔵庫１０の上記時計手段１２の時刻データを受信すると、次のステップＳ１３４に移行し、
（ステップＳ１３４）では、受信した時刻データをもとに上記時計手段２２ａの時刻を変更する。
【００８９】
上記第２の電気機器２０ｂの制御手段２１ｂにおいて、
（ステップＳ１４０）では、使用者が時刻の変更を操作し入力を受付けると、次のステップＳ１４１に移行し、
（ステップＳ１４１）では、変更した時刻データをもとに上記時計手段２２ｂの時刻を変更し、次のステップＳ１４２に移行し、
（ステップＳ１４２）では、上記通信手段２４ｂを介して、上記時計手段２２ｂの時刻データを上記冷蔵庫１０に送信し、
（ステップＳ１４３）では、上記通信手段２４ｂを介して、上記冷蔵庫１０の上記時計手段１２の時刻データを受信すると、次のステップＳ１４４に移行し、
（ステップＳ１４４）では、受信した時刻データをもとに上記時計手段２２ｂの時刻を変更する。
【００９０】
以上まとめると、上記冷蔵庫１０の上記制御手段１１は、上記冷蔵庫１０の上記時計手段１２の上記時刻情報を変更されて、この変更された時刻情報を上記第１の電気機器２０ａおよび上記第２の電気機器２０ｂに送信する一方、一方の電気機器２０ａ（２０ｂ）から受信した上記時刻情報に基づいて、上記冷蔵庫１０の上記時計手段１２の上記時刻情報を変更すると共に、この変更された時刻情報を、他方の電気機器２０ｂ（２０ａ）に送信し、
上記電気機器２０ａ（２０ｂ）の上記制御手段２１ａ（２１ｂ）は、上記電気機器２０ａ（２０ｂ）の上記時計手段２２ａ（２２ｂ）の上記時刻情報を変更されて、この変更された時刻情報を上記冷蔵庫１０に送信する一方、上記冷蔵庫１０から受信した上記時刻情報に基づいて、上記電気機器２０ａ（２０ｂ）の上記時計手段２２ａ（２２ｂ）の上記時刻情報を変更する。
【００９１】
このように、上記冷蔵庫１０の時刻を変更すると、両方の上記電気機器２０ａ，２０ｂは上記冷蔵庫１０から時刻情報を得て、また、一の電気機器２０ａ（２０ｂ）の時刻を変更すると、上記冷蔵庫１０は、上記一の電気機器２０ａ（２０ｂ）から時刻情報を得て、さらに、他の電気機器２０ｂ（２０ａ）に時刻情報を送ることで、一の機器の時刻を変更すると、自動的に、通信で繋がる他のすべての機器の時刻も一致させて、時刻変更の手間を一度で済ますことができる。
【００９２】
なお、一つの上記冷蔵庫と三つ以上の上記電気機器のそれぞれとが、接続されていてもよく、このとき、上記冷蔵庫の上記制御手段は、上記冷蔵庫の上記時計手段の上記時刻情報を変更されて、この変更された時刻情報を上記複数の電気機器に送信する一方、一の上記電気機器から受信した上記時刻情報に基づいて、上記冷蔵庫の上記時計手段の上記時刻情報を変更すると共に、この変更された時刻情報を、上記一の電気機器以外の全ての上記電気機器に送信し、
上記電気機器の上記制御手段は、上記電気機器の上記時計手段の上記時刻情報を変更されて、この変更された時刻情報を上記冷蔵庫に送信する一方、上記冷蔵庫から受信した上記時刻情報に基づいて、上記電気機器の上記時計手段の上記時刻情報を変更する。
【００９３】
このように、上記冷蔵庫と上記複数の電気機器のそれぞれとが、接続されるので、上記電気機器同士の通信を省略して、（配線等の）通信経路を少なくできる。また、上記一の電気機器の時刻情報を変更すると、この変更された時刻情報を、必ず上記冷蔵庫を介して、上記一の電気機器以外の全ての上記電気機器に送信するので、上記電気機器同士が通信されることがなくて、混線を防止できると共に、常時通電の上記冷蔵庫により、時刻情報を確実に保持して、信頼できる時刻情報を、機器間で共用できる。
【００９４】
（第９の実施形態）
次に、上記構成の情報共有システムの動作の第９の実施形態を、図２と図１３Ａ〜図１３Ｄを用いて、説明する。この第９の実施形態は、上記４の実施形態と上記第８の実施形態とを、組み合わせたものである。なお、図１３Ａ〜図１３Ｄの図中、丸付きの符号Ａ〜Ｍ，３００，３０１は、図面間のつながりを示す。
【００９５】
図２、図１３Ａおよび図１３Ｂに示すように、上記冷蔵庫１０の上記制御手段１１において、
（ステップＳ２００）では、使用者が時刻の変更を操作し入力を受付けると、次のステップＳ２０１に移行し、
（ステップＳ２０１）では、変更した時刻データをもとに上記時計手段１２の時刻を変更し、次のステップＳ２０２に移行し、
（ステップＳ２０２）では、上記通信手段１４ａを介して、上記時計手段１２の時刻データを、上記第１の電気機器２０ａに送信し、次のステップＳ２０３に移行し、
（ステップＳ２０３）では、上記通信手段１４ｂを介して、上記時計手段１２の時刻データを、上記第２の電気機器２０ｂに送信し、
（ステップＳ２０４）では、上記通信手段１４ａを介して、上記第１の電気機器２０ａの上記時計手段２２ａの時刻データを受信すると、次のステップＳ２０５に移行し、
（ステップＳ２０５）では、受信した時刻データをもとに上記時計手段１２の時刻を変更し、
（ステップＳ２０６）では、上記通信手段１４ｂを介して、上記時計手段１２の時刻データを上記第２の電気機器２０ｂに送信し、
（ステップＳ２０７）では、上記通信手段１４ｂを介して、上記第２の電気機器２０ｂの上記時計手段２２ｂの時刻データを受信すると、次のステップＳ２０８に移行し、
（ステップＳ２０８）では、受信した時刻データをもとに上記時計手段１２の時刻を変更し、
（ステップＳ２０９）では、上記通信手段１４ａを介して、上記時計手段１２の時刻データを上記第１の電気機器２０ａに送信し、
（ステップＳ２１０）では、上記通信手段１４ａを介して、上記第１の電気機器２０ａから時刻データの送信要求を受信すると、次のステップＳ２１１に移行し、
（ステップＳ２１１）では、通信手段１４ａを介して、上記時計手段１２の時刻データを上記第１の電気機器２０ａに送信し、
（ステップＳ２１２）では、上記通信手段１４ａを介して、上記第１の電気機器２０ａから設定データの送信要求を受信すると、次のステップＳ２１３に移行し、
（ステップＳ２１３）では、上記通信手段１４ａを介して、上記記憶手段１３に記憶された設定データを上記第１の電気機器２０ａに送信し、
（ステップＳ２１４）では、上記通信手段１４ｂを介して、上記第２の電気機器２０ｂから時刻データの送信要求を受信すると、次のステップＳ２１５に移行し、
（ステップＳ２１５）では、上記通信手段１４ｂを介して、上記時計手段１２の時刻データを上記第２の電気機器２０ｂに送信し、
（ステップＳ２１６）では、上記通信手段１４ｂを介して、上記第２の電気機器２０ａから設定データの送信要求を受信すると、次のステップＳ２１７に移行し、
（ステップＳ２１７）では、上記通信手段１４ｂを介して、上記記憶手段１３に記憶された設定データを上記第２の電気機器２０ｂに送信し、
（ステップＳ２１８）では、上記通信手段１４ａを介して、上記第１の電気機器２０ａの上記記憶手段２３ａの設定データを受信すると、次のステップＳ２１９に移行し、
（ステップＳ２１９）では、受信した設定データをバックアップのため、上記記憶手段１３の予め定められた領域に記憶し、
（ステップＳ２２０）では、上記通信手段１４ｂを介して、上記第２の電気機器２０ｂの上記記憶手段２３ｂの設定データを受信すると、次のステップＳ２２１に移行し、
（ステップＳ２２１）では、受信した設定データをバックアップのため、上記記憶手段１３の予め定められた領域に記憶する。
【００９６】
図２および図１３Ｃに示すように、上記第１の電気機器２０ａの上記制御手段２１ａにおいて、
（ステップＳ２３０）では、使用者が時刻の変更を操作し入力を受付けると、次のステップＳ２３１に移行し、
（ステップＳ２３１）では、変更した時刻データをもとに上記時計手段２２ａの時刻を変更し、次のステップＳ２３２に移行し、
（ステップＳ２３２）では、上記通信手段２４ａを介して、上記時計手段２２ａの時刻データを上記冷蔵庫１０に送信し、
（ステップＳ２３３）では、上記通信手段２４ａを介して、上記冷蔵庫１０の上記時計手段１２の時刻データを受信すると、次のステップＳ２３４に移行し、
（ステップＳ２３４）では、受信した時刻データをもとに上記時計手段２２ａの時刻を変更し、
（ステップＳ２３５）では、上記通信手段２４ａを介して、上記冷蔵庫１０の記憶手段１３に記憶された設定データを受信すると、次のステップＳ２３６に移行し、
（ステップＳ２３６）では、受信した設定データを上記記憶手段２３ａの元の設定データ領域に再記憶し、
（ステップＳ２３７）では、非通電状態から通電状態に移行する際に、次のステップＳ２３８に移行し、
（ステップＳ２３８）では、上記通信手段２４ａを介して、時刻データの送信要求を上記冷蔵庫１０に送信し、次のステップＳ２３９に移行し、
（ステップＳ２３９）では、上記通信手段２４ａを介して、記憶データの送信要求を上記冷蔵庫１０に送信し、
（ステップＳ２４０）では、予め設定された周期をカウントし所定の時期になると、次のステップＳ２４１に移行し、
（ステップＳ２４１）では、上記通信手段２４ａを介して、時刻データの送信要求を上記冷蔵庫１０に送信し、
（ステップＳ２４２）では、通電中に、使用者の操作、時間経過、或いは機器の状態変化等により、上記記憶手段２３ａの設定データを更新すると、次のステップＳ２４３に移行し、
（ステップＳ２４３）では、上記通信手段２４ａを介して、上記記憶手段２３ａの設定データを上記冷蔵庫１０に送信する。
【００９７】
図２および図１３Ｄに示すように、上記第２の電気機器２０ｂの上記制御手段２１ｂにおいて、
（ステップＳ２５０）では、使用者が時刻の変更を操作し入力を受付けると、次のステップＳ２５１に移行し、
（ステップＳ２５１）では、変更した時刻データをもとに上記時計手段２２ｂの時刻を変更し、次のステップＳ２５２に移行し、
（ステップＳ２５２）では、上記通信手段２４ｂを介して、上記時計手段２２ｂの時刻データを上記冷蔵庫１０に送信し、
（ステップＳ２５３）では、上記通信手段２４ｂを介して、上記冷蔵庫１０の上記時計手段１２の時刻データを受信すると、次のステップＳ２５４に移行し、
（ステップＳ２５４）では、受信した時刻データをもとに上記時計手段２２ｂの時刻を変更し、
（ステップＳ２５５）では、上記通信手段２４ｂを介して、上記冷蔵庫１０の上記記憶手段１３に記憶された設定データを受信すると、次のステップＳ２５６に移行し、
（ステップＳ２５６）では、受信した設定データを上記記憶手段２３ｂの元の設定データ領域に再記憶し、
（ステップＳ２５７）では、非通電状態から通電状態に移行する際に、次のステップＳ２５８に移行し、
（ステップＳ２５８）では、上記通信手段２４ｂを介して、時刻データの送信要求を上記冷蔵庫１０に送信し、次のステップＳ２５９に移行し、
（ステップＳ２５９）では、上記通信手段２４ｂを介して、記憶データの送信要求を上記冷蔵庫１０に送信し、
（ステップＳ２６０）では、予め設定された周期をカウントし所定の時期になると、次のステップＳ２６１に移行し、
（ステップＳ２６１）では、上記通信手段２４ｂを介して、時刻データの送信要求を上記冷蔵庫１０に送信し、
（ステップＳ２６２）では、通電中に、使用者の操作、時間経過、或いは機器の状態変化等により、上記記憶手段２３ｂの設定データを更新すると、次のステップＳ２６３に移行し、
（ステップＳ２６３）では、上記通信手段２４ｂを介して、上記記憶手段２３ｂの設定データを上記冷蔵庫１０に送信する。
【００９８】
（第１０の実施形態）
次に、図３と図４に、この発明の情報共有システムの他の実施形態を示す。以下、図１と図２に示す上記第１の実施形態と相違する点のみを説明する。
【００９９】
図３と図４に示すように、この冷蔵庫１０は、さらに、ネットワーク３０に接続されるネットワーク通信手段１５を有し、上記冷蔵庫１０の上記制御手段１１は、上記ネットワーク３０を介して、標準時刻情報を受信し、この標準時刻情報に基づいて、上記冷蔵庫１０の上記時計手段１２の上記時刻情報を変更する。
【０１００】
上記ネットワーク３０は、データの送受信が可能な通信媒体で、標準時刻情報を得ることができる。
【０１０１】
上記ネットワーク通信手段１５は、上記ネットワーク３０に接続されており、上記ネットワーク３０を介して、例えばＮＴＰ(Network Time Protocol)サーバー等により、標準時刻情報を得ることができる。
【０１０２】
そして、上記冷蔵庫１０の上記制御手段１１において、自己が必要とする時期、或いは所定の周期毎に、上記ネットワーク通信手段１５を介して、上記ネットワーク３０上の、例えばＮＴＰ(Network Time Protocol)サーバー等により、標準時刻情報を受信し、受信した時刻データをもとに上記時計手段１２の時刻を変更する。
【０１０３】
このように、上記冷蔵庫１０のみを上記ネットワーク３０に接続し、上記電気機器２０ａ，２０ｂは上記冷蔵庫１０と通信を介して接続することで、上記電気機器２０ａ，２０ｂが上記ネットワーク３０に接続しないので、最低限のシステム構成により、コスト低減を図ると同時に、上記ネットワーク３０により標準時刻情報を得た上記冷蔵庫１０と通信を介して接続される上記電気機器２０ａ，２０ｂの時刻も、自動的に一致させることで、機器間の時刻のバラつきを解消できる。
【図面の簡単な説明】
【０１０４】
【図１】本発明の冷蔵庫と電気機器との情報共有システムの一実施形態を示すと共に冷蔵庫と電気機器との接続を示すブロック図である。
【図２】本発明の情報共有システムの構成を示すブロック図である。
【図３】本発明の情報共有システムの他の実施形態を示すと共にネットワークと接続した冷蔵庫と電気機器との接続を示すブロック図である。
【図４】本発明の他の情報共有システムの構成を示すブロック図である。
【図５】本発明の情報共有システムの動作の一実施形態を示すフローチャートである。
【図６】本発明の情報共有システムの動作の他の実施形態を示すフローチャートである。
【図７】本発明の情報共有システムの動作の別の実施形態を示すフローチャートである。
【図８】本発明の情報共有システムの動作のさらに他の実施形態を示すフローチャートである。
【図９】本発明の情報共有システムの動作のさらに別の実施形態を示すフローチャートである。
【図１０】本発明の情報共有システムの動作のさらに他の実施形態を示すフローチャートである。
【図１１】本発明の情報共有システムの動作のさらに別の実施形態を示すフローチャートである。
【図１２】本発明の情報共有システムの動作のさらに他の実施形態を示すフローチャートである。
【図１３Ａ】本発明の情報共有システムの冷蔵庫の動作のさらに別の実施形態を示すフローチャートである。
【図１３Ｂ】本発明の情報共有システムの冷蔵庫の動作のさらに別の実施形態を示すフローチャートである。
【図１３Ｃ】本発明の情報共有システムの第１の電気機器の動作のさらに別の実施形態を示すフローチャートである。
【図１３Ｄ】本発明の情報共有システムの第２の電気機器の動作のさらに別の実施形態を示すフローチャートである。
【符号の説明】
【０１０５】
１０  冷蔵庫
１１  冷蔵庫の制御手段
１２  冷蔵庫の時計手段
１３  冷蔵庫の記憶手段
１４ａ  冷蔵庫の第１の通信手段
１４ｂ  冷蔵庫の第２の通信手段
１５  冷蔵庫のネットワーク通信手段
２０ａ  第１の電気機器
２１ａ  第１の電気機器の制御手段
２２ａ  第１の電気機器の時計手段
２３ａ  第１の電気機器の記憶手段
２４ａ  第１の電気機器の通信手段
２０ｂ  第２の電気機器
２１ｂ  第２の電気機器の制御手段
２２ｂ  第２の電気機器の時計手段
２３ｂ  第２の電気機器の記憶手段
２４ｂ  第２の電気機器の通信手段
３０  ネットワーク
【図１】
2005275848.tif 000003
【図２】
2005275848.tif 000004
【図３】
2005275848.tif 000005
【図４】
2005275848.tif 000006
【図５】
2005275848.tif 000007
【図６】
2005275848.tif 000008
【図７】
2005275848.tif 000009
【図８】
2005275848.tif 000010
【図９】
2005275848.tif 000011
【図１０】
2005275848.tif 000012
【図１１】
2005275848.tif 000013
【図１２】
2005275848.tif 000014
【図１３Ａ】
2005275848.tif 000015
【図１３Ｂ】
2005275848.tif 000016
【図１３Ｃ】
2005275848.tif 000017
【図１３Ｄ】
2005275848.tif 000018